(57)【特許請求の範囲】
【請求項１】
光信号を受光し電気信号に変換して出力する受光手段と、
前記受光手段から出力される電気信号を平滑化する平滑化手段と、
前記平滑化手段で平滑化された電気信号を対数変換して出力する対数変換手段とを有する光受信器であって、
前記平滑化手段で平滑化される信号を増幅する、相互に増幅率が異なる複数個の増幅手段と、
前記複数個の増幅手段の一つの出力信号を前記対数変換手段に順に供給する切替え手段と、
を備えることを特徴とする光受信器。
【請求項２】
光信号を受光し電気信号に変換して出力する受光手段と、
前記受光手段から出力される電気信号を平滑化する、相互に異なる値の複数個の抵抗を有する平滑化手段と、
前記平滑化手段で平滑化された電気信号を対数変換して出力する対数変換手段とを有する光受信器であって、
前記平滑化手段は前記複数の抵抗の一を順に選択する切替え手段を備えることを特徴とする光受信器。
【請求項３】
切換え信号を提供する制御部と、
前記対数変換手段からの対数変換された電気信号がオーバーフローの状態にあるか否かを調べ、前記オーバーフローしていない電気信号が前記複数個の増幅手段のうちのどの増幅手段に対応するかを前記切換え信号に基づいて判定するオフセット計算回路と
を備え、
前記切替え手段は、前記制御部の前記切換え信号に従って前記出力信号を前記対数変換手段に順に供給する、ことを特徴とする請求項１に記載された光受信器。
【請求項４】
切換え信号を提供する制御部と、
前記対数変換手段からの対数変換された電気信号がオーバーフローの状態にあるか否かを調べ、前記オーバーフローしていない電気信号が前記複数個の抵抗段のうちのどの抵抗に対応するかを前記切換え信号に基づいて判定するオフセット計算回路と
を備え、
前記切替え手段は、前記制御部の前記切換え信号に従って前記複数の抵抗の一を順に選択する、ことを特徴とする請求項２に記載された光受信器。
【請求項５】
前記複数個の増幅器の増幅率の比が約１０であることを特徴とする請求項１に記載の光受信器。
【請求項６】
複数個の抵抗の抵抗値の比が約１０であることを特徴とする請求項２に記載の光受信器。
【請求項７】
カレントミラー回路をさらに備え、
前記受光手段が前記カレントミラー回路の一方の接点に接続され、
前記平滑化手段が前記カレントミラー回路の他方の接点に接続され、
前記受光手段に流れる電流に比例した電流が、前記カレントミラー回路を介して前記平滑化手段に流れることを特徴とする請求項１又は２に記載の光受信器。
【請求項８】
前記対数変換手段の出力に対し、前記光信号の入力強度と前記受光手段との非線形特性を補償する演算処理を行う演算手段を備えることを特徴とする請求項１又は２に記載の光受信器。
【発明の詳細な説明】
【０００１】
【発明の属する技術分野】
本発明は、光通信に用いられる光受信器に関し、特に、光信号の強度を監視するための監視手段を備えた光受信器に関するものである。
【０００２】
【従来の技術】
従来、光信号の強度監視手段を有する光受信器として、図４に示す構成のものが知られていた。この光受信器は、受光素子であるフォトダイオードＰＤと、強度監視手段を構成している平滑コンデンサＣ、プリアンプ２、モニター回路４と、信号処理手段を構成している電流／電圧変換回路６、プリアンプ８、メインアンプ１０、データ生成回路１２、クロック抽出回路１４とを備えて構成されている。
【０００３】
受光素子であるフォトダイオードＰＤのカソードと電源Ｖccの間に抵抗Ｒが接続され、フォトダイオードＰＤのカソードとグランド端子の間に平滑コンデンサＣが接続され、フォトダイオードＰＤのアノードに電流／電圧変換回路６が接続されている。
【０００４】
強度監視手段では、光信号の強度に応じてフォトダイオードＰＤのカソードに発生する変化電圧を平滑コンデンサＣで直流電圧に平滑化し、この直流電圧をプリアンプ２で増幅してモニター回路４で監視する。
【０００５】
信号処理手段では、フォトダイオードＰＤのアノードに生じる電流を電流／電圧変換回路６で電圧信号に変換し、この電圧信号をプリアンプ８とメインアンプ１０で増幅し、増幅された電圧信号に基づいて、データ生成回路１２がデジタルデ−タを生成すると共にクロック抽出回路１４が光信号中の同期信号を生成する。
【０００６】
【発明が解決しようとする課題】
しかしながら、上記従来の光受信器では次のような問題があった。
抵抗Ｒは、フォトダイオードＰＤの受光感度を設定するためのバイアス設定機能と、光信号に応じてフォトダイオードＰＤに流れる電流を電圧信号に変換するための電圧降下素子としての機能とを兼ねている。したがって、強度監視手段中のモニター回路４の監視感度を高めるために抵抗Ｒの値を大きくした場合には、フォトダイオードＰＤのバイアス電流が減少してその受光感度が低下してしまい、逆に、フォトダイオードＰＤの受光感度を上げるために抵抗Ｒの値を小さくした場合には、監視感度が低下する。
【０００７】
このため、徒に抵抗Ｒの値を設定することはできず、前記強度監視手段と信号処理手段が共に広ダイナミックレンジの光信号を最適処理し得るように、抵抗Ｒの値を最適調整することが困難で、設計の自由度が低いという問題があった。また、抵抗Ｒの値を精密に調整する必要があるため、高価な抵抗が必要になるという問題もあった。
【０００８】
本発明は、上記従来技術の課題を克服するためになされたものであり、広ダイナミックレンジの光信号を強度監視手段と信号処理手段で最適処理し得えるようにした光受光器を提供することを目的とする。
【０００９】
【課題を解決するための手段】
本発明は、光信号を受光し電気信号に変換して出力する受光手段と、前記受光手段から出力される電気信号を平滑化する平滑化手段と、平滑化手段で平滑化された電気信号を対数変換して出力する対数変換手段とを有する光受信器であって、前記平滑化手段で平滑化される信号を増幅する相互に増幅率が異なる複数個の増幅手段と、前記複数個の増幅手段の一つの出力信号を前記対数変換手段に順に供給する切替え手段とを備える構成とした。
光受信器は、切換え信号を提供する制御部と、前記対数変換手段からの対数変換された電気信号がオーバーフローの状態にあるか否かを調べ、前記オーバーフローしていない電気信号が前記複数個の増幅手段のうちのどの増幅手段に対応するかを前記切換え信号に基づいて判定するオフセット計算回路とを備え、前記切替え手段は、前記制御部の前記切換え信号に従って前記出力信号を前記対数変換手段に順に供給する。
光受信器では、前記複数個の増幅器の増幅率の比が約１０であることが好ましい。
光受信器は、カレントミラー回路をさらに備え、前記受光手段が前記カレントミラー回路の一方の接点に接続され、前記平滑化手段が前記カレントミラー回路の他方の接点に接続され、前記受光手段に流れる電流に比例した電流が、前記カレントミラー回路を介して前記平滑化手段に流れる。
光受信器は、前記対数変換手段の出力に対し、前記光信号の入力強度と前記受光手段との非線形特性を補償する演算処理を行う演算手段を備えることができる。
【００１０】
また、本発明は、光信号を受光し電気信号に変換して出力する受光手段と、前記受光手段から出力される電気信号を平滑化する相互に異なる値の複数個の抵抗を有する平滑化手段と、平滑化手段で平滑化された電気信号を対数変換して出力する対数変換手段とを有する光受信器であって、前記平滑化手段は前記複数の抵抗の一を順に選択する切替え手段を備える構成とした。
光受信器は、切換え信号を提供する制御部と、前記対数変換手段からの対数変換された電気信号がオーバーフローの状態にあるか否かを調べ、前記オーバーフローしていない電気信号が前記複数個の抵抗段のうちのどの抵抗に対応するかを前記切換え信号に基づいて判定するオフセット計算回路と備え、前記切替え手段は、前記制御部の前記切換え信号に従って前記複数の抵抗の一を順に選択する。
光受信器では、複数個の抵抗の抵抗値の比が約１０であることが好ましい。
光受信器は、カレントミラー回路をさらに備え、前記受光手段が前記カレントミラー回路の一方の接点に接続され、前記平滑化手段が前記カレントミラー回路の他方の接点に接続され、前記受光手段に流れる電流に比例した電流が、前記カレントミラー回路を介して前記平滑化手段に流れることが好ましい。
光受信器は、前記対数変換手段の出力に対し、前記光信号の入力強度と前記受光手段との非線形特性を補償する演算処理を行う演算手段を備えることができる。
【００１１】
【作用】
受光手段から出力される電気信号を平滑化手段で平滑化し、平滑化手段で平滑化された電気信号を対数変換手段で対数変換することにより、光信号の強度を監視するための監視用信号を出力する。更に、対数変換手段より出力される信号に応じて切替え手段が、増幅率の相互に異なる複数個の増幅手段の一つの出力、または抵抗値の相互に異なる複数個の抵抗のうちの一つに生じる平滑化信号を対数変換手段に供給させることにより、広ダイナミックレンジの光信号に対応する監視用信号を対数変換手段に出力させる。
【００１２】
【発明の実施の形態】
以下、本発明の光受信器の実施の形態を図１〜図３を参照して説明する。
【００１３】
（第１の実施の形態）
図１（ａ）は、第１の実施の形態の光受信器の構成を示す回路図である。同図において、本光受信器は、光信号ｈνを検出するための光検出部Ａ１と、光検出部Ａ１の出力を信号処理するための信号処理部Ａ２と、光検出部Ａ１の出力に基づいて光信号ｈνの強度を監視するための監視部Ａ３とを備えている。
【００１４】
光検出部Ａ１は、正電源Ｖccに接続されカレントミラー回路を構成するｐｎｐトランジスタＴr1，Ｔr2と、ｐｎｐトランジスタＴr1のベース・コレクタにカソードが接続された受光素子としてのフォトダイオードＰＤとを備えて構成されている。
【００１５】
フォトダイオードＰＤは、高周波の光信号ｈνに対応するためにはＰＩＮフォトダイオード、比較的低周波の光信号ｈνの場合にはアバランシェフォトダイオードが用いられている。カレントミラー回路を構成するｐｎｐトランジスタＴr1，Ｔr2の各エミッタサイズが所定比率（例えば、１：１）に設定されており、これにより、フォトダイオードＰＤ及びｐｎｐトランジスタＴr1のコレクタに流れる電流ｉ1と、ｐｎｐトランジスタＴr1のコレンクタに流れる電流ｉ2が常に一定の比例関係になっている。
【００１６】
信号処理部Ａ２は、フォトダイオードＰＤのアノードに接続された電流／電圧変換回路１６と、プリアンプ１８、メインアンプ２０、データ生成回路２２、クロック抽出回路２４を備えて構成されている。フォトダイオードＰＤのアノードに生じる電流ｉ1を電流／電圧変換回路６で電圧信号に変換し、この電圧信号をプリアンプ１８とメインアンプ２０で増幅し、増幅された電圧信号に基づいて、データ生成回路２２がデジタルデ−タＤを生成すると共にクロック抽出回路２４が光信号中の同期信号ＣＬＫを生成する。
【００１７】
監視部Ａ３は、ｐｎｐトランジスタＴr2のコレクタとグランド端子ＧＮＤ間に接続されたコンデンサＣ及び抵抗Ｒを備えている。コンデンサＣと抵抗Ｒは、ｐｎｐトランジスタＴr2のコレクタから出力される電流ｉ2の変化を直流電圧ＶRCに平滑化する平滑回路として機能し、夫々の容量値と抵抗値は、光信号ｈνの周波数に対応した時定数となるように決められている。
【００１８】
尚、光信号ｈνの周波数が十分に高く、それに応じて電流ｉ2の周波数も十分に高い場合には、配線や素子の寄生容量などでコンデンサＣの機能を代替えしてもよい。即ち、コンデンサＣを省略し、寄生容量と抵抗Ｒで平滑回路の機能を発揮させるようにしてもよい。
【００１９】
更に、監視部Ａ３は、相互の増幅率が異なる電圧増幅器２６，２８，３０と、開閉素子としてのアナログスイッチ３２，３４，３６と、サンプルホールド回路３８、Ａ／Ｄ変換器４０、対数変換回路４２、オフセット計算回路４４、Ｄ／Ａ変換器４６及び制御部４８を備えて構成されている。
【００２０】
電圧増幅器２６，２８，３０の各増幅率は、１倍、１０倍、１００に設定されており、抵抗ＲとコンデンサＣの両端に発生する電圧ＶRCを各増幅率で増幅して出力する。
【００２１】
図２は、各電圧増幅器２６，２８，３０の入出力特性を示している。即ち、１倍の増幅率に設定されている電圧増幅器２６は、曲線Ｌ１に示すように、電圧ＶRCに換算して約−１２ｄＢ〜＋２ｄＢの光信号を線形増幅可能に設定され、１０倍の増幅率に設定されている電圧増幅器２８は、曲線Ｌ２に示すように、電圧ＶRCに換算して約−２２ｄＢ〜−１８ｄＢの光信号を線形増幅可能に設定され、１００倍の増幅率に設定されている電圧増幅器３０は、曲線Ｌ３に示すように、電圧ＶRCに換算して約−３２ｄＢ〜−１８ｄＢの光信号を線形増幅可能に設定されている。
【００２２】
したがって、電圧増幅器２６は、高強度の光信号の入射に対して最適な増幅率、電圧増幅器２８は、それより低強度の光信号の入射に対して最適な増幅率、電圧増幅器３０は、更にそれより低強度の光信号の入射に対して最適な増幅率となるように設定されている。
【００２３】
アナログスイッチ３２，３４，３６は、制御部４８からの切換え制御信号ＳＷに従って一つだけが導通状態となり、他は非導通状態となるように独立排他的にオン・オフ動作して、電圧増幅器２６，２８，３０の何れか一つの出力電圧をサンプルホールド回路３８へ伝送する。
【００２４】
但し、Ａ／Ｄ変換器４０のアナログ・デジタル変換速度に同期して順次に切換え制御信号ＳＷが供給されることにより、アナログスイッチ３２，３４，３６が順番に切換えられ、更に、この切換え動作が繰り返されるようになっている。即ち、Ａ／Ｄ変換器４０のアナログ・デジタル変換速度がＴAD、アナログスイッチ３２，３４，３６を順番に切換える期間をＴSWとすると、ＴAD≦ＴSWに設定し、更に、所定周期Ｔ（＝３×ＴSW）で切換え動作が繰り返えされる。
【００２５】
サンプルホールド回路３８は、アナログスイッチ３２，３４，３６が切換えられるのに同期して電圧増幅回路２６，２８，３０の各出力電圧を一時的に保持し、その間にＡ／Ｄ変換器４０が、電圧増幅回路２６，２８，３０の各出力電圧を夫々所定ビット数ｎのデジタルデータＤｎに変換して出力する。
【００２６】
Ａ／Ｄ変換器４０の変換可能範囲（最大入力スパン）は、電圧増幅器２６，２８，３０の夫々の下限出力電圧と最大出力電圧（飽和電圧）との範囲内でアナログ・デジタル変換し得るように設定されている。
【００２７】
対数変換回路４２は、ｎビットのデータＤｎを対数圧縮することにより、より少ないビット数ｍ（ｍ＜ｎ）のデータＤｍに変換して出力する。即ち、ｎビットのデータＤｎと実質的に同じ情報量を有するデータＤｍを、より少ないビット数ｍで実現している。また、この対数変換により、デシベル（ｄＢ）表示用のデータＤｍを形成している。
【００２８】
オフセット計算回路４４は、前記の周期Ｔ毎に対数変換回路４２から出力されるデータＤｍのうち、上位（ＭＳＢ）の２ビットのデータを調べることにより、オーバーフローの状態となっているデータＤｍの有無を調べ、オーバーフローしていないデータＤｍが何れの電圧増幅器２６，２８，３０に対応しているか判定する。尚、データＤｍと電圧増幅器２６，２８，３０との対応関係は、制御部４８からアナログスイッチ３２，３４，３６へ供給する切換え信号ＳＷの供給周期ＴSWに基づいて判定している。
【００２９】
そして、電圧増幅器２６，２８，３０の出力電圧に対応する３個のデータＤｍのうち、オーバーフロー状態に無く且つ最も大きな値を示すデータＤｍを有意なデータと判断する。更に、図１（ｂ）のデータ構造に示すように、対数変換回路４２から出力されるｍビットのデータＤｍの上位（ＭＳＢ）に、その有意なデータＤｍに対応する電圧増幅器２６，２８，３０の一つを特定するための２ビットのデータ（０，０）、（０，１）、（１，０）の何れか一つを付加し、全体としてｍ＋２ビットのデータＤoutにして、Ｄ／Ａ変換回路４６とデジタル出力端子Ｑへ出力させる。
【００３０】
より詳細に説明すると、オフセット計算回路４４は、前記の周期Ｔ毎に、電圧増幅器２６，２８，３０の夫々の出力電圧に対応する３個のデータＤｍ(26)，Ｄｍ(28)，Ｄｍ(30)を調べる。例えば、図２において、光信号の強度が−１５ｄＢであった場合に、増幅率が１００倍の電圧増幅器３０に対応するデータＤｍ(30)は殆どオーバーフローの状態となり、増幅率が１倍の電圧増幅器２６に対応するデータＤｍ(26)は極めて小さな値となり、増幅率が１０倍の電圧増幅器２８に対応するデータＤｍ(28)が最も有意な値となる。
【００３１】
そこで、オーバーフロー状態に無く且つ最も大きな値を示すデータＤｍ(28)を最も有意なデータと判断し、更に、対数変換回路４２から出力されるｍビットのデータＤｍ(28)の上位（ＭＳＢ）に電圧増幅器２８を特定するための２ビットのデータ（０，１）を付加し、全体としてｍ＋２ビットのデータＤoutにしてＤ／Ａ変換回路４６とデジタル出力端子Ｑへ出力させる。
【００３２】
また、判定の結果、データＤｍ(26)が有意な場合には、対数変換回路４２から出力されるｍビットのデータＤｍ(26)の上位に電圧増幅器２６を特定するための２ビットのデータ（１，０）を付加して出力させる。また、データＤｍ(30)が有意な場合には、対数変換回路４２から出力されるｍビットのデータＤｍ(30)の上位に電圧増幅器３０を特定するための２ビットのデータ（０，０）を付加して出力させる。
【００３３】
このように、電圧増幅器２６，２８，３０の夫々のダイナミックレンジが約１０ｄＢ程度であるのに対し、オフセット計算回路４４を設けたことにより、電圧増幅器２６，２８，３０全体でカバーする約−３０ｄＢ〜＋２ｄＢの広ダイナミックレンジの光信号に対応可能な構造を実現している。更に、電圧増幅器２６，２８，３０を特定するための２ビットのデータを（０，０）、（０，１）、（１，０）にしたことにより、Ｄ／Ａ変換回路４６とデジタル出力端子Ｑへ出力される前記ｍ＋２ビットのデータＤoutを、約−３０ｄＢ〜＋２ｄＢの範囲内で連続したデータにすることができる。
【００３４】
更に、フォトダイオードＰＤをｐｎｐトランジスタＴr1，Ｔr2で構成されるカレントミラー回路に接続し、光信号ｈνの検出によってフォトダイオードＰＤに流れる電流ｉ1を信号処理部Ａ２に供給し、電流ｉ1に比例した電流ｉ2を監視部Ａ３へ供給するようにしたので、信号処理部Ａ２と監視部Ａ３のバイアス条件を独立に設計することができる。このため、図４に示した従来の光受信器中の抵抗Ｒのような精密な調整が不要となり、また、高価な抵抗が不要となる。
【００３５】
尚、電圧増幅器２６，２８，３０は、複数個の演算増幅器（オペアンプ）が一体封止された集積回路装置（ＩＣ）を用いてもよい。また、アナログスイッチ３２，３４，３６も、複数個のアナログスイッチを一体封止した集積回路装置（ＩＣ）を用いてもよい。
【００３６】
更に、前記の抵抗ＲとコンデンサＣが平滑回路として十分に機能し、Ａ／Ｄ変換器４０が高速でアナログ・デジタル変換可能な場合には、サンプルホールド回路３８を省略してもよい。
【００３７】
更にまた、対数変換回路４２とオフセット計算回路４４及び制御部４８をマイクロコンピュータ（ＭＰＵ）で構成してもよい。
【００３８】
また、３個の電圧増幅器２６，２８，３０により、光信号ｈνのダイナミックレンジを３分割して処理する場合を述べたが、本発明はこれに限定されるものではなく、少なくとも２個以上の電圧増幅器を備えて、光信号ｈνのダイナミックレンジを複数分割して処理するようにしてもよい。
【００３９】
また、図１中の出力端子Ｑに出力されるデータＤoutを演算処理するための演算部が設けられれており、光信号ｈνの入力強度とフォトダイオードＰＤとの非線形特性を補償するための演算処理を行うようになっている。即ち、この演算部はマイクロコンピュータで実現され、光信号ｈνの入力強度とフォトダイオードＰＤとの非線形特性を補償するためのプログラムを実行することで、データＤoutをデジタル演算処理し、前記の非線形性を補償している。
【００４０】
（第２の実施の形態）
次に、本発明の光受信器の第２の実施の形態を図３を参照して説明する。尚、図３において、図１と同一又は相当する部分を同一符号で示している。
【００４１】
図３において、第１の実施の形態と本実施の形態の光受信器では、監視部Ａ３の構成が異なっている。図３において、本実施の形態の監視部Ａ３では、カレントミラー回路を構成する一方のｐｎｐトランジスタＴr2のコレクタとサンプルホールド回路３８の間に、一個の電圧増幅器５０が接続されている。
【００４２】
更に、電圧増幅器５０の入力接点には、３個のアナログスイッチ５２，５４，５６の一方の接点が接続され、各アナログスイッチ５２，５４，５６の他方の接点とグランド端子ＧＮＤ間には、抵抗Ｒ１，Ｒ２，Ｒ３とコンデンサＣ１，Ｃ２，Ｃ３が接続されている。
【００４３】
抵抗Ｒ１，Ｒ２，Ｒ３の各抵抗値の比は、Ｒ１：Ｒ２＝１：１０、Ｒ２：Ｒ３＝１：１０、Ｒ１：Ｒ３＝１：１００に設定されている。各抵抗Ｒ１，Ｒ２，Ｒ３に夫々並列接続されているコンデンサＣ１，Ｃ２，Ｃ３は、電流ｉ2の周波数に対して十分な平滑化効果を発揮し得る容量値に設定されている。そして、制御部４０から出力される切替え制御信号ＳＷにより、アナログスイッチ５２，５４，５６を独立排他的にオン・オフ動作させ、ｐｎｐトランジスタＴr2のコレクタに発生する電圧ＶRCを電圧増幅器５０に入力させている。
【００４４】
尚、監視部Ａ３の残余の部分と、光検出部Ａ１と信号処理回路Ａ２については、第１の実施の形態と同じ構成となっている。
【００４５】
次に、監視部Ａ３の動作を説明する。電圧増幅器５０の電圧増幅率は一定であるが、その入力電圧ＶRCは、切替え制御信号ＳＷによってアナログスイッチ５２のみが導通になると図２中の曲線Ｌ１、アナログスイッチ５４のみが導通になると曲線Ｌ２、アナログスイッチ５６のみが導通になると曲線Ｌ３と等価な変化をする。したがって、入力電圧ＶRCを電圧増幅器５０で増幅することにより、電圧増幅器５０の出力電圧は図２と実質的に同等になる。
【００４６】
そして、電圧増幅器５０の出力電圧が後段のサンプルホールド回路３８に供給されるため、本実施の形態の監視部Ａ３は、第１の実施形態と同様の動作をすることとなり、広ダイナミックレンジの光信号に対応した強度監視が可能となる。
【００４７】
尚、図３中のコンデンサＣ１，Ｃ２，Ｃ３は、抵抗Ｒ１，Ｒ２，Ｒ３のうちの最小値の抵抗について、電流ｉ2の周波数に対して十分な平滑効果を有する容量値に設定しておけば、この容量値を有するコンデンサを電圧増幅器５０の入力接点とグランド端子ＧＮＤ間に１個接続するだけでよく、３個のコンデンサＣ１，Ｃ２，Ｃ３を省略することができる。
【００４８】
また、サンプルホールド回路３８が電圧増幅機能を有するものであれば、電圧増幅器５０を省略することができる。
【００４９】
また、３個の抵抗Ｒ１，Ｒ２，Ｒ３により、光信号ｈνのダイナミックレンジを３分割して処理する場合を述べたが、本発明はこれに限定されるものではなく、少なくとも２個以上の抵抗を備えて、光信号ｈνのダイナミックレンジを複数分割して処理するようにしてもよい。
【００５０】
【発明の効果】
以上説明したように本発明によれば、対数変換手段より出力される信号に応じて切替え手段が、増幅率の相互に異なる複数個の増幅手段の一つの出力、または抵抗値の相互に異なる複数個の抵抗のうちの一つに生じる平滑化信号を対数変換手段に供給するようにしたので、広ダイナミックレンジの光信号に対応する最適な監視用信号を得ることができる。
【００５１】
また、受光手段をカレントミラー回路の一方の接点に、平滑化手段をカレントミラー回路の他方の接点に接続し、受光手段に流れる電流に比例した電流をカレントミラー回路を介して平滑化手段に流す構成にしたため、受光手段を信号処理手段に接続し、平滑化手段を含む監視手段で光信号の強度を監視することで、信号処理手段と監視手段を実質的に別体の手段とすることができる。このため、監視手段と信号処理手段を夫々広ダイナミックレンジの光信号を最適処理し得るように設計することができ、設計の自由度を向上させることができる等の効果が得られる。
【図面の簡単な説明】
【図１】第１の実施の形態の光受信器の構成と、監視部の動作を説明するための説明図である。
【図２】監視部内に設けられている電圧増幅器の入出力特性を示す説明図である。
【図３】第２の実施の形態の光受信器の構成を説明するための説明図である。
【図４】従来の光受信器の構成を説明するための説明図である。
【符号の説明】
ＰＤ…ホトダイオード、Ｔr1，Ｔr2…ｐｎｐトランジスタ、２６〜３０，５０…電圧増幅器、３２〜３６，５２〜５６…アナログスイッチ、Ｒ，Ｒ１〜Ｒ３…抵抗、Ｃ，Ｃ１〜Ｃ３…コンデンサ、３８…サンプルホールド回路、４０…Ａ／Ｄ変換器、４２…対数変換回路、４４…オフセット計算回路、４６…Ｄ／Ａ変換器、４８…制御部。
【図１】
0003820718.tif 000002
【図２】
0003820718.tif 000003
【図３】
0003820718.tif 000004
【図４】
0003820718.tif 000005